(57)【特許請求の範囲】
【請求項１】
対向する２つの対向壁部を有するキャビネット同士の間で前記対向壁部が接触しているキャビネットシステムにおいて、
各キャビネットは、
何れか一方の対向壁部と当接する一端壁、及び、他方の対向壁部と当接する他端壁を有する柱部材と、
前記一端壁及び／又は前記他端壁に形成された貫通孔と、
前記対向壁部にて前記貫通孔と整合する位置に形成された壁貫通孔とを有しており、
前記柱部材の内部に設けられており、接触する２つの対向壁部の前記壁貫通孔、及び、該２つの対向壁部に当接している２つの柱部材の前記貫通孔に挿通し、前記２つの対向壁部を夫々有するキャビネット同士を固定する固定機構を備えることを特徴とするキャビネットシステム。
【請求項２】
前記対向壁部は、板状の壁板、及び、該壁板の端部が取り付けられ、該壁板を保持する壁保持部を有し、
前記壁貫通孔は前記壁保持部に形成されていることを特徴とする請求項１に記載のキャビネットシステム。
【請求項３】
前記柱部材は設置面に面する下面及び該下面と対向する上面を有し、
前記上面には部分的に設けられた開口を有することを特徴とする請求項１又は２に記載のキャビネットシステム。
【請求項４】
各キャビネットの下側であって前記設置面上に設けられた蹴込板を備え、
前記蹴込板の上端面には前記柱部材の前記下面が当接していることを特徴とする請求項３に記載のキャビネットシステム。
【請求項５】
前記一端壁及び前記他端壁に設けられた、前記貫通孔より小さいネジ孔と、
前記ネジ孔に挿入され、前記柱部材を前記壁保持部に固定する雄ネジと
を備えることを特徴とする請求項２に記載のキャビネットシステム。
【請求項６】
前記一端壁及び前記他端壁は矩形であり、
前記一端壁及び前記他端壁にて前記貫通孔及び前記ネジ孔が長手方向に並設されていることを特徴とする請求項５に記載のキャビネットシステム。
【発明の詳細な説明】
【技術分野】
【０００１】
本発明は、対向する２つの対向壁部を有するキャビネットを複数含み、キャビネット同士の前記対向壁部が接触しているキャビネットシステムに関する。
【背景技術】
【０００２】
近年、シンク台、調理台、コンロ台等を一つにまとめたいわゆるシステムキッチンが広く普及されている。このようなシステムキッチンにおいては、食器洗い乾燥機等の電気機器及び抽斗が収容される複数のキャビネットを有している。
【０００３】
一方、特許文献１においては、金属製のフレームに表面材を機械的に取り付けて単位体とし、斯かる単位体同士を機械的結合することによってキャビネット等の台所設備の全部又は一部を構成することにより、分解が容易であり、前記表面材を複合材料で形成する必要がなく、揮発性有機化合物の低減化を図ることができる台所設備が開示されている。
【先行技術文献】
【特許文献】
【０００４】
【特許文献１】特開２００４−１０５４１１号公報
【発明の概要】
【発明が解決しようとする課題】
【０００５】
上述したようなシステムキッチンにおいては、キャビネット同士を固定する場合、２つのキャビネットの隣接する夫々の壁部に貫通孔を形成し、該貫通孔に雄ネジを挿入してネジ止めを行っていた。
【０００６】
しかし、このような場合、扉、抽斗等を開けると、斯かる貫通孔が簡単に視認され、製品の見栄えを悪くするという問題がある。また、特許文献１に係る台所設備では、斯かる問題について工夫されていない。
【０００７】
本発明は、斯かる事情に鑑みてなされたものであり、その目的とするところは、キャビネット同士を固定する部分がユーザによって容易に視認されることを防ぎ、製品の見栄えを良くすることが出来るキャビネットシステムを提供することにある。
【課題を解決するための手段】
【０００８】
本発明に係るキャビネットシステムは、対向する２つの対向壁部を有するキャビネット同士の間で前記対向壁部が接触しているキャビネットシステムにおいて、各キャビネットは、何れか一方の対向壁部と当接する一端壁、及び、他方の対向壁部と当接する他端壁を有する柱部材と、前記一端壁及び／又は前記他端壁に形成された貫通孔と、前記対向壁部にて前記貫通孔と整合する位置に形成された壁貫通孔とを有しており、接触する２つの対向壁部の前記壁貫通孔、及び、該２つの対向壁部に当接している２つの柱部材の前記貫通孔に挿通し、前記２つの対向壁部を夫々有するキャビネット同士を固定する固定機構を備えることを特徴とする。
【０００９】
本発明にあっては、対向壁部が接続しているキャビネット同士を固定する場合、例えば、雄ネジ及びナットのような固定機構を用い、接触する２つの対向壁部の前記壁貫通孔、及び、該２つの対向壁部に当接している２つの柱部材の前記貫通孔に雄ネジを挿通させてナットと螺合させることによって、斯かるキャビネット同士を固定させる。
【００１０】
本発明に係るキャビネットシステムは、前記対向壁部は、板状の壁板、及び、該壁板の端部が取り付けられ、該壁板を保持する壁保持部を有し、前記壁貫通孔は前記壁保持部に形成されていることを特徴とする。
【００１１】
本発明にあっては、接触する２つの対向壁部の壁保持部に設けられた前記壁貫通孔に雄ネジを挿通させることによって、斯かるキャビネット同士を固定させる。
【００１２】
本発明に係るキャビネットシステムは、前記柱部材は設置面に面する下面及び該下面と対向する上面を有し、前記上面には部分的に設けられた開口を有することを特徴とする。
【００１３】
本発明にあっては、斯かるキャビネット同士を固定させる際、前記開口を介して、固定機構の取り付けを行う。
【００１４】
本発明に係るキャビネットシステムは、各キャビネットの下側であって前記設置面上に設けられた蹴込板を備え、前記蹴込板の上端面には前記柱部材の前記下面が当接していることを特徴とする。
【００１５】
本発明にあっては、前記蹴込板の上端面には前記柱部材の前記下面が当接していることから、隙間が存在しなくなるので、斯かる隙間を介して当該キャビネット内へ、虫が侵入し、異物が入り、又は該隙間に人の指が挟まれることを未然に防止できる。
【００１６】
本発明に係るキャビネットシステムは、前記一端壁及び前記他端壁に設けられた、前記貫通孔より小さいネジ孔と、前記ネジ孔に挿入され、前記柱部材を前記壁保持部に固定する雄ネジとを備えることを特徴とする。
【００１７】
本発明にあっては、前記ネジ孔に雄ネジを挿入し、該雄ネジを前記柱部材に回し込むことにより、前記柱部材を前記壁保持部に固定する。
【００１８】
本発明に係るキャビネットシステムは、前記一端壁及び前記他端壁は矩形であり、前記一端壁及び前記他端壁にて前記貫通孔及び前記ネジ孔が長手方向に並設されていることを特徴とする。
【００１９】
本発明にあっては、前記一端壁及び前記他端壁にて、前記一端壁及び前記他端壁の長手方向に、前記貫通孔及び前記ネジ孔が並設されている。
【発明の効果】
【００２０】
本発明によれば、キャビネット同士を固定する場合、斯かる固定の部分がユーザによって容易に視認されることを防ぎ、製品の見栄えを良くすることが出来る。
【図面の簡単な説明】
【００２１】
【図１】本発明の実施の形態に係るシステムキッチンのフレーム構成を示す斜視図である。
【図２】本実施の形態に係るシステムキッチンにおいて、キャビネットの下部を拡大した部分拡大図である。
【図３】図２の斜視図から壁保持部及び案内レールを省いた場合の斜視図である。
【図４】本実施の形態に係るシステムキッチンの蹴込形成柱を示す斜視図である。
【図５】本実施の形態に係るシステムキッチンにおいて、キャビネット及びキャビネットの固定を説明する説明図である。
【発明を実施するための形態】
【００２２】
以下に、本発明の実施の形態に係るキャビネットシステムを、いわゆるシステムキッチンに適用した場合を例に、図面に基づいて詳述する。
【００２３】
図１は、本発明の実施の形態に係るシステムキッチン１のフレーム構成を示す斜視図である。システムキッチン１は、例えば台所の床（設置面）に載置された複数のキャビネットと、該複数のキャビネットの上端を覆うワークトップ（天板）とを備えている。
【００２４】
システムキッチン１は、コンロ台１０、調理台１１、及びシンク台１２を一体に備えている。システムキッチン１の左側部、左右方向中央部、及び右側部に、シンク台１２、調理台１１、及びコンロ台１０が夫々設けられており、シンク台１２、調理台１１、及びコンロ台１０は左右方向の横一列に配されている。
【００２５】
コンロ台１０は、上部にビルトイン型のグリル付きコンロを内蔵し、下部にオーブンレンジを内蔵する。コンロ台１０の天面には、グリル付きコンロの火口を露出させるための露出口１００が設けられている。また、コンロ台１０はコンロ及びオーブンレンジが収容されるキャビネット１０１を有する。
【００２６】
調理台１１の上部には調理の際の作業スペースとして用いられる天面１１０が敷設されている。また、調理台１１は、キャビネット１１１及びキャビネット１１２を有している。キャビネット１１１には上下３段の抽斗が設けられる。また、キャビネット１１２には、例えば、ビルトイン型の食器洗い乾燥機が内蔵される。
【００２７】
シンク台１２の天面にはシンク１２１が開口している。例えば、シンク１２１の上方には蛇口が配される。また、シンク台１２はキャビネット１２２を有しており、キャビネット１２２には上下２段の抽斗が設けられる。
【００２８】
キャビネット１０１は前側が開放された中空の直方体状をなしている。すなわち、キャビネット１０１は左側壁部１０２、右側壁部１０４及び後側壁部１０３を有しており、前側に開口を有する。左側壁部１０２及び右側壁部１０４（対向壁部）は左右方向に対面配置されている。
【００２９】
キャビネット１０１に収容される抽斗は前後方向に進退する。このために、キャビネット１０１には抽斗の進退を案内する案内レール１０５ａ〜１０５ｆが設けられている。詳しくは、案内レール１０５ａ，１０５ｂが一対としてキャビネット１０１の上部に設けられており、案内レール１０５ｃ，１０５ｄが一対としてキャビネット１０１の中部に設けられており、案内レール１０５ｅ，１０５ｆが一対としてキャビネット１０１の下部に設けられている。各案内レール１０５ａ〜１０５ｆは、左側壁部１０２又は右側壁部１０４にて、抽斗の進退方向に沿って延設されており、縦断面視Ｌ字状をなす。斯かる抽斗は案内レール１０５ａ〜１０５ｆ上を摺動して前後方向に進退する。
【００３０】
また、キャビネット１０１は、上部の抽斗を閉める場合、その戸が当たる戸当たり桟１０６ａと、下部の抽斗を閉める場合、その戸が当たる戸当たり桟１０６ｂとが設けられている。戸当たり桟１０６ａ，１０６ｂは左側壁部１０２及び右側壁部１０４間に配されている。
【００３１】
戸当たり桟１０６ａ，１０６ｂは、中空であり、四角柱の形状を有している。戸当たり桟１０６ａ，１０６ｂは左側壁部１０２及び右側壁部１０４と交差する方向に沿って設けられており、一端面が左側壁部１０２と当接しており、他端面が右側壁部１０４と当接している。
【００３２】
左側壁部１０２及び右側壁部１０４は、後側の一端が後側壁部１０３に連結された板状の壁板と、該壁板の他端、すなわち前側の端が取り付けられ、該壁板を保持する壁保持部とを夫々有する。各壁保持部は前記天面と後述する蹴込板１５との間に形成されており、細い扁平な直方体形状を有している。戸当たり桟１０６ａ，１０６ｂは両端が左側壁部１０２の壁保持部及び右側壁部１０４の壁保持部に夫々固定されている。また、少なくとも左側壁部１０２の壁保持部は下端部に、後述する貫通孔１０２１Ｈ（壁貫通孔）が形成されている。貫通孔１０２１Ｈは左側壁部１０２の壁保持部を厚み方向に貫通する。戸当たり桟１０６ｂの両端部の上面は、案内レール１０５ｃ，１０５ｄの前側端部と当接している。
【００３３】
更に、キャビネット１０１は蹴込形成柱１０７（柱部材）を備えている。蹴込形成柱１０７は蹴込板１５と共に蹴込みを形成する。該蹴込みは、システムキッチン１の前側下部に設けられた凹所である。
【００３４】
蹴込形成柱１０７は、中空であり、細い扁平な直方体形状を有している。蹴込形成柱１０７は短冊状であって設置面と面する下面と、該下面と同様の形状であって該下面と対向する上面とを有している。蹴込形成柱１０７は、短手方向における端部が蹴込板１５より前側に突出するように設けられている。
【００３５】
また、蹴込形成柱１０７は左側壁部１０２の壁保持部及び右側壁部１０４の壁保持部の間に配されている。蹴込形成柱１０７は斯かる壁保持部と交差する方向に沿って、該壁保持部の下端部に設けられている。蹴込形成柱１０７は両端の端壁に後述する貫通孔１０７３（壁貫通孔）が形成されており、貫通孔１０７３及び左側壁部１０２の壁保持部の貫通孔１０２１Ｈが整合するように、一端が左側壁部１０２の壁保持部に固定され、他端が右側壁部１０４の壁保持部に固定されている。蹴込形成柱１０７の両端部の上面は、案内レール１０５ｅ，１０５ｆの前側端部と当接している。蹴込形成柱１０７の上面には、蹴込形成柱１０７の長手方向に沿って部分的な開口が形成されている。
【００３６】
キャビネット１２２はキャビネット１０１と略同様の構成を有している。キャビネット１２２は前側が開放された中空の直方体状をなしており、左右方向に対面する左側壁部１２３及び右側壁部１２５と、後側壁部１２４とを有し、前側に開口を有する。
【００３７】
キャビネット１２２には抽斗の進退を案内する案内レール１２６ａ〜１２６ｄが設けられている。案内レール１２６ａ，１２６ｂが一対としてキャビネット１２２の中部に設けられており、案内レール１２６ｃ，１２６ｄが一対としてキャビネット１２２の下部に設けられている。各案内レール１２６ａ〜１２６ｄの他の構成は案内レール１０５ａ〜１０５ｆと同様であり、詳しい説明を省略する。
【００３８】
また、キャビネット１２２は、上部の抽斗を閉める場合、その戸が当たる戸当たり桟１２７ａと、下部の抽斗を閉める場合、その戸が当たる戸当たり桟１２７ｂとが設けられている。戸当たり桟１２７ａ，１２７ｂは左側壁部１２３及び右側壁部１２５間に配されている。戸当たり桟１２７ａ，１２７ｂの他の構成は戸当たり桟１０６ａ，１０６ｂと同様であり、詳しい説明を省略する。
【００３９】
更に、キャビネット１２２は蹴込を形成する蹴込形成柱１２８を備えている。蹴込形成柱１２８は、中空であり、細い扁平な直方体形状を有している。蹴込形成柱１２８の他の構成は蹴込形成柱１０７と同様であり、詳しい説明を省略する。
【００４０】
キャビネット１１１は前側が開放された中空の直方体状をなしており、左右方向に対面する左側壁部１１３及び右側壁部１１４（対向壁部）と、後側壁部１１５とを有し、前側に開口を有する。また、キャビネット１１２は前側が開放された中空の直方体状になしており、後側壁部１１６を有している。キャビネット１１６は、キャビネット１２２の右側壁部１２５と、キャビネット１１１の左側壁部１１３と、後側壁部１１６とから区画される。
【００４１】
図２は本実施の形態に係るシステムキッチン１において、キャビネット１１１の下部を拡大した部分拡大図である。以下、図１及び図２に基づいて、キャビネット１１１について詳しく説明する。
【００４２】
キャビネット１１１は前側が開放された中空の直方体状をなしている。すなわち、キャビネット１１１は左側壁部１１３、右側壁部１１４及び後側壁部１１５を有しており、前側に開口を有する。斯かる開口はキャビネット１０１の開口より左右方向の寸法が小さい。左側壁部１１３及び右側壁部１１４（対向壁部）は左右方向に対面配置されている。
【００４３】
キャビネット１１１に収容される抽斗が前後方向に進退するために、キャビネット１１１には抽斗の進退を案内する案内レール１１７ａ〜１１７ｆが設けられている。詳しくは、案内レール１１７ａ，１１７ｂが一対としてキャビネット１１１の上部に設けられており、案内レール１１７ｃ，１１７ｄが一対としてキャビネット１１１の中部に設けられており、案内レール１１７ｅ，１１７ｆが一対としてキャビネット１１１の下部に設けられている。各案内レール１１７ａ〜１１７ｆは、左側壁部１１３又は右側壁部１１４にて、抽斗の進退方向に沿って延設されており、縦断面視Ｌ字状を有する。
【００４４】
また、キャビネット１１１は、上部の抽斗を閉める場合、その戸が当たる戸当たり桟１１８ａと、下部の抽斗を閉める場合、その戸が当たる戸当たり桟１１８ｂとが設けられている。戸当たり桟１１８ａ，１１８ｂは左側壁部１１３及び右側壁部１１４間に配されている。
【００４５】
戸当たり桟１１８ａ，１１８ｂは、中空であり、四角柱の形状を有している。戸当たり桟１１８ａ，１１８ｂは左側壁部１１３及び右側壁部１１４と交差する方向に沿って下部に設けられており、一端面が左側壁部１１３と当接しており、他端面が右側壁部１１４と当接している。
【００４６】
図３は図２の斜視図から後述する壁保持部１１３２及び案内レール１１７ｃ，１１７ｅを省いた場合の斜視図である。
【００４７】
左側壁部１１３及び右側壁部１１４は、後側の一端が後側壁部１１５に連結された板状の壁板１１３１及び壁板１１４１と、壁板１１３１及び壁板１１４１の他端、すなわち前側の端が取り付けられた壁保持部１１３２及び壁保持部１１４２とを夫々有する。壁板１１３１及び壁保持部１１３２、並びに、壁板１１４１及び壁保持部１１４２は面一に設けられている。壁板１１３１は前記一端が後側壁部１１５に固定され、前記他端が壁保持部１１３２に固定されている。また、壁板１１４１は前記一端が後側壁部１１５に固定され、前記他端が壁保持部１１４２に固定されている。
【００４８】
壁保持部１１３２及び壁保持部１１４２は、細い扁平な直方体形状を有し、対向する内側面が短冊状をなす。壁保持部１１３２及び壁保持部１１４２は天面１１０又は設置面に対して略垂直方向に設けられている。また、壁保持部１１３２及び壁保持部１１４２は天面１１０と蹴込板１５との間に形成されている。詳しくは、壁保持部１１３２及び壁保持部１１４２は上端面が天面１１０の内側と接しつつ、該上端面の前側縁が天面１１０の前側縁と整合しており、下端面の後側端部が蹴込板１５の上端面と当接している。また、壁保持部１１３２及び壁保持部１１４２は下端部に、後述する小貫通孔１１９６に整合するようナット（図示せず）が固定されている。更に、少なくとも右側壁部１１４の壁保持部１１４２は下端部に、後述する貫通孔１１４２Ｈ（壁貫通孔）が形成されている。貫通孔１１４２Ｈは壁保持部１１４２を厚み方向に貫通する。
【００４９】
戸当たり桟１１８ｂは両端の側壁に、該側壁を貫通するネジ孔Ｈを形成している。従って、雄ネジを該ネジ孔Ｈと螺合させつつ、左側壁部１１３の壁保持部１１３２又は右側壁部１１４の壁保持部１１４２に回し込むことにより、戸当たり桟１１８ｂの両端が壁保持部１１３２及び壁保持部１１４２に夫々固定される。戸当たり桟１１８ａについても、戸当たり桟１１８ｂと同様であり、説明を省略する。
一方、戸当たり桟１１８ｂの両端部の上面は、案内レール１１７ｃ，１１７ｄの前側端部と当接している。
【００５０】
更に、キャビネット１１１は蹴込形成柱１１９（柱部材）を備えている。図４は本実施の形態に係るシステムキッチン１の蹴込形成柱１１９を示す斜視図である。
【００５１】
蹴込形成柱１１９は、中空であり、細い扁平な直方体形状を有している。蹴込形成柱１１９は、短冊状であって設置面と面する下面１１９５と、下面１１９５と同様の形状であって下面１１９５と対向する上面１１９１とを有している。蹴込形成柱１１９は、下面１１９５が設置面と略平行をなしており、下面１１９５の後側端部が蹴込板１５の上端面と当接し、かつ前側端部が蹴込板１５より前側に突出するように設けられている。
【００５２】
蹴込形成柱１１９は上面１１９１に開口１１９２を設けている。開口１１９２は矩形であり、長手方向の寸法が上面１１９１の長手方向の寸法と同じであり、短手方向の寸法が上面１１９１の短手方向の寸法より小さい。
【００５３】
また、蹴込形成柱１１９は長手方向における左端に左端壁１１９３（一端壁又は他端壁）を有し、右端に右端壁１１９４（他端壁又は一端壁）を有している。左端壁１１９３及び右端壁１１９４は、何れも矩形であり、長手方向の中央部に貫通孔１１９７を有している。貫通孔１１９７の両側には、貫通孔１１９７により小さい小貫通孔１１９６，１１９６が夫々形成されている。
【００５４】
蹴込形成柱１１９は左側壁部１１３の壁保持部１１３２及び右側壁部１１４の壁保持部１１４２の間に配されている。蹴込形成柱１１９は壁保持部１１３２及び壁保持部１１４２と交差する方向に沿って、壁保持部１１３２及び壁保持部１１４２の下端部に設けられている。蹴込形成柱１１９は、貫通孔１１９７及び壁保持部１１４２の貫通孔１１４２Ｈが整合するように、左端が壁保持部１１３２に固定され、右端が壁保持部１１４２に固定されている。詳しくは、雄ネジを小貫通孔１１９６に挿入し、壁保持部１１３２及び壁保持部１１４２に固定された前記ナットに螺合させることにより、蹴込形成柱１１９の両端が壁保持部１１３２及び壁保持部１１４２に夫々固定される。
【００５５】
蹴込形成柱１１９の両端部の上面１１９１は、案内レール１１７ｅ，１１７ｆの前側端部と当接している。すなわち、上面１１９１の両端部は案内レール１１７ｅ，１１７ｆによって覆われている。
【００５６】
蹴込板１５は左右方向に長い縦姿勢の矩形平板状であり、キャビネット１０１、キャビネット１１１、キャビネット１１２及びキャビネット１２２に跨って設けられている。すなわち、蹴込板１５はャビネット１０１、キャビネット１１１、キャビネット１１２及びキャビネット１２２の前側の下端であって、台所の床上に、該床と交差する方向に設けられている。上述したように、蹴込板１５の上端面には、蹴込形成柱１０７、蹴込形成柱１１９及び蹴込形成柱１２８の下面が当接している。
【００５７】
以下、本実施の形態に係るシステムキッチン１における接触するキャビネット同士の固定について詳しく説明する。説明の便宜上、右側壁部１１４及び左側壁部１０２が接触しているキャビネット１１１及びキャビネット１０１の固定を例に挙げて説明する。図５は本実施の形態に係るシステムキッチン１において、キャビネット１１１及びキャビネット１０１の固定を説明する説明図である。図５は、図２の円部分を拡大した拡大図であり、説明の便宜上、案内レール１０５ｆ，１１７ｅの表示を省略している。 
【００５８】
キャビネット１１１の右側壁部１１４の壁保持部１１４２及びキャビネット１０１の左側壁部１０２の壁保持部１０２１は同寸法を有しており、前側端面及び下側端面が面一になるように整った状態にて設けられている。
【００５９】
蹴込形成柱１０７は、左端に矩形の左端壁１０７１を有しており、長手方向の中央部に貫通孔１０７３を有している。貫通孔１０７３の両側には、貫通孔１０７３より小さい小貫通孔１０７２，１０７２が夫々形成されている。また、壁保持部１０２１においては、小貫通孔１０７２，１０７２と整合するようナット（図示せず）が固定されている。
【００６０】
上述したように、蹴込形成柱１１９においては、雄ネジＳＳを右端壁１１９４の小貫通孔１１９６，１１９６に挿入し、壁保持部１１４２に固定された前記ナットに螺合させることにより、蹴込形成柱１１９の右端壁１１９４が壁保持部１１４２に固定される。この際、右端壁１１９４の貫通孔１１９７は壁保持部１１４２の貫通孔１１４２Ｈと整合する。
【００６１】
蹴込形成柱１０７においても、雄ネジ（図示せず）を左端壁１０７１の小貫通孔１０７２，１０７２に挿入し、壁保持部１０２１に固定された前記ナットに螺合させることにより、蹴込形成柱１０７の左端壁１０７１が壁保持部１０２１に固定される。この際、左端壁１０７１の貫通孔１０７３は壁保持部１０２１の貫通孔１０２１Ｈと整合する。
【００６２】
この際、キャビネット１１１の壁保持部１１４２及びキャビネット１０１の保持部１０２１における前側端面が、蹴込形成柱１１９の前側端面１１９８及び蹴込形成柱１０７の前側端面１０７４と面一をなしている。また、キャビネット１１１の壁保持部１１４２及びキャビネット１０１の保持部１０２１における下側端面が、蹴込形成柱１１９の下面及び蹴込形成柱１０７の下面と面一をなしている。従って、システムキッチン１の見栄えを良くすることが出来る。
【００６３】
このとき、蹴込形成柱１１９の右端壁１１９４の貫通孔１１９７と、壁保持部１１４２の貫通孔１１４２Ｈと、壁保持部１０２１の貫通孔１０２１Ｈと、蹴込形成柱１０７の左端壁１０７１の貫通孔１０７３とは、同軸上に配置される。
【００６４】
次いで、柱部が貫通孔１０７３，１１９７のサイズと略同じ外径であり、一端の頭部が前記サイズより大きい雄ネジＳ（固定機構）が、貫通孔１１９７、貫通孔１１４２Ｈ、貫通孔１０２１Ｈ、及び、貫通孔１０７３に挿入される。また、雄ネジＳの他端にはナットＮ（固定機構）が螺合される。従って、雄ネジＳの頭部及びナットＮによって右端壁１１９４及び左端壁１０７１が相互接近する方向に押し付けられる。これによって、右側壁部１１４（壁保持部１１４２）及び左側壁部１０２（壁保持部１０２１）が固定され、キャビネット１１１及びキャビネット１０１の固定が行われる。
【００６５】
本実施の形態に係るシステムキッチン１おいては、このように、キャビネット同士を固定する固定部が蹴込形成柱の内部に設けられているので、ユーザによって視認され難く、システムキッチン１の見栄えを良くすることが出来る。
【００６６】
また、本実施の形態に係るシステムキッチン１おいては、蹴込形成柱の上面に開口を有するので、蹴込形成柱を壁保持部に取り付けた後でも、斯かる開口を介してキャビネット同士の固定作業を容易に行うことが出来る。
【００６７】
更に、本実施の形態に係るシステムキッチン１おいては、蹴込形成柱の上面の両端部が案内レールによって覆われているので、キャビネット同士を固定する固定部が斯かる案内レールによって隠れる。従って、ユーザによる斯かる固定部の視認が一層難しくなり、システムキッチン１の見栄えを良くすることが出来る。
【００６８】
以上においては、壁保持部の下部に貫通孔を形成し、該壁保持部に固定される蹴込形成柱の内側を介して、接触している壁保持部同士を固定することについて記載しているが、本実施の形態はこれに限るものでない。例えば、壁保持部の上部又は中部に貫通孔を形成し、該壁保持部に固定される戸当たり桟の内側を介して、接触している壁保持部同士を固定するように構成しても良い。また、一ヶ所のみでなく、壁保持部の複数箇所にて斯かる固定が行われるように構成しても良い。
【００６９】
以上の記載では、貫通孔１１９７，１０７３の両側に小貫通孔１１９６，１０７２が夫々形成されている場合を例として説明したが、本実施の形態はこれに限るものでない。例えば、貫通孔１１９７，１０７３の両側のなか、何れか一方に小貫通孔１１９６，１０７２が夫々形成されるように構成しても良い。
【００７０】
以上の記載においては、壁保持部に設けられた貫通孔を用いてキャビネット同士の固定が行われる場合を例として説明したが、本実施の形態はこれに限るものでない。例えば、壁板に貫通孔を形成し、壁板の貫通孔を用いてキャビネット同士を固定しても良い。
【００７１】
また、本実施の形態に係るシステムキッチン１においては、蹴込板１５の上端面に、蹴込形成柱１０７、蹴込形成柱１１９及び蹴込形成柱１２８の下面が当接しており、隙間が存在しない。従って、斯かる隙間を介して当該キャビネット内へ、虫が侵入し、異物が入り、又は該隙間に人の指が挟まれることを未然に防止できる。
【００７２】
また、本実施の形態に係るシステムキッチン１は以上の記載に限るものでなく、貫通孔１０７３にナットＮが固定された固定であっても良い。
【００７３】
以上においては、いわゆるシステムキッチンにおけるキャビネット同士の固定を例に挙げて説明したが本発明はこれに限るものでなく、２つの筐体を、壁部を介して相互固定する場合であれば、本発明は適用可能である。
【符号の説明】
【００７４】
１  システムキッチン
１５  蹴込板
１０２、１１３、１２３  左側壁部
１０４、１１４、１２５  右側壁部
１０１、１１１、１１２、１２２  キャビネット
１０７、１１９、１２８  蹴込形成柱
１０７１、１１９３、１１９４  左端壁
１１９４  右端壁
１０７２、１１９６  小貫通孔
１０７３、１１９７  貫通孔
１０２１、１１３２、１１４２  壁保持部
１０２１Ｈ、１１４２Ｈ  貫通孔
１１３１、１１４１  壁板
１１９１  上面
１１９２  開口
１１９５  下面
Ｎ  ナット
Ｓ  雄ネジ
ＳＳ  雄ネジ
【図１】
0006694308.tif 000002
【図２】
0006694308.tif 000003
【図３】
0006694308.tif 000004
【図４】
0006694308.tif 000005
【図５】
0006694308.tif 000006